(57)【要約】【課題】表示領域を有効に利用して、被写体に照明を容易に当てる。【解決手段】検知部１１０が、撮像部２００が撮像した撮像画像から被写体を検知し、その結果に基づいて、表示制御部１２０が、表示部１３０の表示領域のうち、被写体を表示している第１の表示領域と、被写体を照らす方向を向いている、第１の表示領域以外の表示領域の少なくとも一部である第２の表示領域とを設定し、第２の表示領域の表示の輝度と色温度との少なくとも一方を変化させる。【選択図】図１
2014229978.tif 000002
【特許請求の範囲】
【請求項１】
撮像部が撮像している撮像画像を表示する表示部と、
前記撮像画像から被写体を検知する検知部と、
前記検知部における検知の結果に基づいて、前記表示部の表示領域のうち、前記被写体を表示している第１の表示領域と、前記表示部の表示領域のうち、該第１の表示領域以外の表示領域の少なくとも一部である第２の表示領域とを設定し、該第２の表示領域の表示の輝度と色温度との少なくとも一方を変化させる表示制御部とを有し、
前記表示部の前記第２の表示領域が前記被写体を照らす方向を向いている情報機器。
【請求項２】
請求項１に記載の情報機器において、
前記表示制御部は、前記被写体の照度および色温度に基づいて、前記第２の表示領域の表示の輝度と色温度との少なくとも一方を変化させる情報機器。
【請求項３】
請求項１または請求項２に記載の情報機器において、
前記表示制御部は、前記第１の表示領域を、前記検知部が検知した被写体が含まれる所定の大きさであり、所定の形状である領域とする情報機器。
【請求項４】
請求項１から３のいずれか１項に記載の情報機器において、
前記表示制御部は、前記表示部が複数の表示領域に分割され、該複数の表示領域のうち１つの表示領域に前記撮像部が撮像している撮像画像を表示させている場合、それ以外の表示領域を前記第２の表示領域に設定する情報機器。
【請求項５】
請求項１から４のいずれか１項に記載の情報機器において、
前記撮像部を具備する情報機器。
【請求項６】
撮像部が撮像している撮像画像を表示する処理と、
前記撮像画像から被写体を検知する処理と、
前記検知の結果に基づいて、表示部の表示領域のうち、前記被写体を表示している第１の表示領域を設定する処理と、
前記表示部の表示領域のうち、前記被写体を照らす方向を向いている、前記第１の表示領域以外の表示領域の少なくとも一部である第２の表示領域を設定する処理と、
前記第２の表示領域の表示の輝度と色温度との少なくとも一方を変化させる処理とを行う表示制御方法。
【請求項７】
コンピュータに、
撮像部が撮像している撮像画像を表示する手順と、
前記撮像画像から被写体を検知する手順と、
前記検知の結果に基づいて、表示部の表示領域のうち、前記被写体を表示している第１の表示領域を設定する手順と、
前記表示部の表示領域のうち、前記被写体を照らす方向を向いている、前記第１の表示領域以外の表示領域の少なくとも一部である第２の表示領域を設定する手順と、
前記第２の表示領域の表示の輝度と色温度との少なくとも一方を変化させる手順とを実行させるためのプログラム。
【発明の詳細な説明】
【技術分野】
【０００１】
本発明は、情報の表示を制御する情報機器、表示制御方法およびプログラムに関する。
【背景技術】
【０００２】
暗い場所にてカメラ撮影を行う場合、フラッシュやＬＥＤ（Ｌｉｇｈｔ  Ｅｍｉｔｔｉｎｇ  Ｄｉｏｄｅ）ライトのトーチ点灯等の補助光源を用いて撮影を行うことが一般的である。このような補助電源を用いると、補助電源の部材コストがかかってしまい、また補助電源を実装するための実装面積が必要となってしまう。そのため、携帯端末等に設けられた自分撮り用の内側カメラのほとんどには、補助光源が設けられていない。
【０００３】
一方で、ブログやＳＮＳ（Ｓｏｃｉａｌ  Ｎｅｔｗｏｒｋｉｎｇ  Ｓｅｒｖｉｃｅ）に自身の写真を投稿するために内側カメラを用いた撮影を行う機会が増えたこともあり、内側カメラでも暗所できれいな写真を撮影したいというニーズが増えてきている。
【０００４】
そこで、表示部の一部を照明領域として使用し、被写体に対して照明光を照射する技術が考えられている（例えば、特許文献１参照。）。
【先行技術文献】
【特許文献】
【０００５】
【特許文献１】特開２００６−２７９７４４号公報
【発明の概要】
【発明が解決しようとする課題】
【０００６】
特許文献１に記載された技術においては、表示部の一部を照明として使用し、残りの部分に撮影した画像を表示するため、撮影した画像を表示する領域が、照明を使用しない場合と比べて狭くなってしまうという問題点がある。
【０００７】
本発明の目的は、前述した課題を解決する情報機器、表示制御方法およびプログラムを提供することである。
【課題を解決するための手段】
【０００８】
本発明の情報機器は、
撮像部が撮像している撮像画像を表示する表示部と、
前記撮像画像から被写体を検知する検知部と、
前記検知部における検知の結果に基づいて、前記表示部の表示領域のうち、前記被写体を表示している第１の表示領域と、前記表示部の表示領域のうち、該第１の表示領域以外の表示領域の少なくとも一部である第２の表示領域とを設定し、該第２の表示領域の表示の輝度と色温度との少なくとも一方を変化させる表示制御部とを有し、
前記表示部の前記第２の表示領域が前記被写体を照らす方向を向いている。
【０００９】
また、本発明の表示制御方法は、
撮像部が撮像している撮像画像を表示する処理と、
前記撮像画像から被写体を検知する処理と、
前記検知の結果に基づいて、表示部の表示領域のうち、前記被写体を表示している第１の表示領域を設定する処理と、
前記表示部の表示領域のうち、前記被写体を照らす方向を向いている、前記第１の表示領域以外の表示領域の少なくとも一部である第２の表示領域を設定する処理と、
前記第２の表示領域の表示の輝度と色温度との少なくとも一方を変化させる処理とを行う。
【００１０】
また、本発明のプログラムは、
コンピュータに実行させるためのプログラムであって、
撮像部が撮像している撮像画像を表示する手順と、
前記撮像画像から被写体を検知する手順と、
前記検知の結果に基づいて、表示部の表示領域のうち、前記被写体を表示している第１の表示領域を設定する手順と、
前記表示部の表示領域のうち、前記被写体を照らす方向を向いている、前記第１の表示領域以外の表示領域の少なくとも一部である第２の表示領域を設定する手順と、
前記第２の表示領域の表示の輝度と色温度との少なくとも一方を変化させる手順とを実行させる。
【発明の効果】
【００１１】
以上説明したように、本発明においては、表示領域を有効に利用して、被写体に照明を容易に当てることができる。
【図面の簡単な説明】
【００１２】
【図１】本発明の情報機器の第１の実施の形態を示す図である。
【図２】図１に示した形態における表示制御方法の一例を説明するためのフローチャートである。
【図３】ステップＳ６の処理が行われた際に表示部が表示する画面の一例を示す図である。
【図４】本発明の情報機器の第２の実施の形態を示す図である。
【図５】図４に示した形態における表示制御方法の一例を説明するためのフローチャートである。
【図６】本発明の情報機器の第３の実施の形態を示す図である。
【図７】図６に示した情報機器における表示制御方法の一例を説明するためのフローチャートである。
【図８】ステップＳ３９の処理が行われた際に表示部が表示する画面の一例を示す図である。
【図９】ステップＳ３９の処理が行われた際に表示部が表示する画面の他の例を示す図である。
【図１０】２つの表示領域に分割された表示部が搭載されている情報機器に照明領域が設定されたときの外観の一例を示す図である。
【図１１】３つの表示領域に分割された表示部が搭載されている情報機器に照明領域が設定されたときの外観の一例を示す図である。
【発明を実施するための形態】
【００１３】
以下に、本発明の実施の形態について図面を参照して説明する。
（第１の実施の形態）
図１は、本発明の情報機器の第１の実施の形態を示す図である。
【００１４】
本形態における情報機器１００には図１に示すように、検知部１１０と、表示制御部１２０と、表示部１３０とが設けられている。なお、図１には、情報機器１００に設けられた構成要素のうち、本実施の形態に関わる主要な構成要素の一例を示す。また、情報機器１００には、撮像機能を具備するカメラ等の撮像部２００が接続されている。
【００１５】
検知部１１０は、撮像部２００が撮像している撮像画像を撮像部２００から取得し、取得した撮像画像から、人物やその他の被写体を検知する。この被写体の検知の方法は、一般的なデジタルカメラ等に搭載されている被写体の検知機能を用いたものであっても良く、特に規定しない。
【００１６】
表示制御部１２０は、撮像部２００が撮像している撮像画像を撮像部２００から取得し、取得した撮像画像を表示部１３０に表示させる。また、表示制御部１２０は、表示部１３０の表示領域のうち、検知部１１０が検知した被写体を表示している表示領域を被写体領域（第１の表示領域）に設定する。また、表示制御部１２０は、表示部１３０の表示領域のうち、被写体領域以外の表示領域の少なくとも一部を照明領域（第２の表示領域）に設定する。また、表示制御部１２０は、照明領域の表示の輝度と色温度との少なくとも一方を変化させる。このとき、表示制御部１２０は、被写体の照度や色温度に応じて、照明領域の表示の輝度と色温度との少なくとも一方を変化させる。なお、照度や色温度の測定は、撮像部２００が行って、表示制御部１２０が撮像部２００から測定結果を取得するものであっても良いし、表示制御部１２０が撮像部２００から取得した撮像画像について照度や色温度を測定するものであっても良い。
【００１７】
表示部１３０は、表示制御部１２０からの指示に従って情報を表示するＬＣＤ（Ｌｉｑｕｉｄ  Ｃｒｙｓｔａｌ  Ｄｉｓｐｌａｙ）等のディスプレイである。また、表示部１３０は、撮像部２００が撮像している撮像画像を表示する。
【００１８】
以下に、本形態における表示制御方法について説明する。
【００１９】
図２は、図１に示した形態における表示制御方法の一例を説明するためのフローチャートである。
【００２０】
まず、撮像部２００が起動して撮像を開始すると、撮像部２００が撮像している撮像画像を検知部１１０および表示制御部１２０が取得する（ステップＳ１）。その後、一般的な撮像画像のプレビュー表示のように、表示制御部１２０が取得した撮像画像をプレビュー画面として表示部１３０に表示させる（ステップＳ２）。
【００２１】
また、検知部１１０は、撮像画像から被写体の検知を行う（ステップＳ３）。検知部１１０が被写体の検知をすることができた場合、表示制御部１２０は、検知部１１０が検知した被写体に基づいた領域を被写体領域に設定する。この被写体領域は、検知部１１０が検知した被写体が含まれる所定の大きさ（例えば、被写体とほぼ同じ大きさや、被写体の大きさよりも大きなもの）の領域であり、その形状は多角形や円形であっても良く、特に規定しない。また、表示制御部１２０は、表示部１３０の表示領域のうち、被写体領域以外の表示領域の全部または一部を、被写体に光を照射するための照明領域に設定する（ステップＳ４）。
【００２２】
続いて、表示制御部１２０は、照明領域の光源の明るさ（輝度）や色温度を、撮像部２００から取得している撮像画像のうちの、検知部１１０が検知した被写体に最適な値に設定する（ステップＳ５）。具体的には、表示制御部１２０は、撮像部２００から取得した撮像画像から得られる被写体の照度や色温度情報に基づいて、照明領域の光源の明るさ（輝度）や色温度を被写体に最適な値に設定する。この設定値は、例えば、検知部１１０が被写体として人物を検知した場合、肌色が映えるように光源の色温度を少し赤くするものであっても良い。また、照明領域から照射される光は基本的には白色だが、表示デバイスのバックライトなどの光源は色温度が高いものが多いため、その白色の光をそのまま光源とすると青色が少々混在した色となってしまうおそれがある。そのため、一般的に、カメラのホワイトバランスで適正な色温度となるように補正がなされるが、ホワイトバランスが正しく動作しないことも考えられる。そこで、表示制御部１２０は、照明領域から白色の光を照射する場合、その白色の色味を被写体に応じて変更するものであっても良い。例えば、検知部１１０が被写体として人物を検知した場合、肌色が映えるように、表示制御部１２０は、照明領域に設定する光を少々赤みのかかった白色の光とするものであっても良い。また、照明用領域の輝度や色温度などの設定値は、あらかじめテーブルとして記憶しておくものであっても良いし、ステップＳ５の処理を行う都度、最適設定とすべく計算されるものであっても良い。なお、色温度の設定には、専用の色温度センサを用いても良い。
【００２３】
続いて、表示制御部１２０は、設定した被写体領域、照明領域および照明領域の光源に基づいて、表示部１３０に表示させる画面を生成して表示部１３０に表示させる（ステップＳ６）。具体的には、表示制御部１２０は、プレビュー画面で表示されている撮像画像のうち被写体領域に含まれるものをそのまま被写体領域内に表示させ、照明領域には、プレビュー画面で表示されている撮像画像のうち照明領域に含まれるものを表示させるのではなく、設定された（変化させた）光源の光を点灯させる。
【００２４】
図３は、ステップＳ６の処理が行われた際に表示部１３０が表示する画面の一例を示す図である。
【００２５】
図３に示すように、表示部１３０には、被写体領域１７０内に被写体１６０が表示され、また、図３中、斜線で示した照明領域１８０から光が照射される。また、図３に示すように、表示部１３０は、撮像者自身に照明領域１８０から照射された光を当てるため、照明領域１８０が被写体である撮像者自身を照らす方向を向いている。
【００２６】
一方、ステップＳ３にて、検知部１１０が被写体の検知をすることができなかった場合は、表示制御部１２０は、あらかじめ設定された固定領域を照明領域に設定し（ステップＳ７）、情報機器１００は、適正露光を用いて、ステップＳ６の処理を行う。
【００２７】
なお、被写体の照度や色温度に基づいて表示制御部１２０が照明領域の輝度や色温度を変化させる（設定する）タイミングは、表示制御部１２０が被写体の照度や色温度を測定した毎に行うものであっても良いし、表示制御部１２０が測定した被写体の照度や色温度の変化量があらかじめ設定されている閾値を超えた場合に行うものであっても良い。
【００２８】
このように、表示部１３０の一部を、撮像者自身を照らす照明として使うことで、安価に暗所での自分撮り撮像画像を得ることができる。また、被写体の検知を行い、被写体に応じた被写体領域以外の表示領域を照明領域として使用することで、プレビュー動作時に被写体を確認することができる。また、撮像画像の一部を照明領域として使用するため、表示領域を有効に利用することができる。さらに、被写体を検知した結果に基づいて、照明を被写体に適した設定にすることで、被写体に最適な撮像画像を得ることができる。
（第２の実施の形態）
また、検知部１１０が撮像画像から被写体を検知するために、表示制御部１２０が、表示部１３０の一部を照明として点灯させるものであっても良い。
【００２９】
図４は、本発明の情報機器の第２の実施の形態を示す図である。
【００３０】
本形態における情報機器１００には図４に示すように、検知部１１０と、表示制御部１２０と、表示部１３０とが設けられている。なお、図４には、情報機器１００に設けられた構成要素のうち、本実施の形態に関わる主要な構成要素の一例を示す。また、情報機器１００には、撮像機能を具備するカメラ等の撮像部２００が接続されている。
【００３１】
検知部１１０は、撮像部２００が撮像している撮像画像を撮像部２００から取得し、取得した撮像画像から、人物やその他の被写体を検知する。この被写体の検知の方法は、第１の実施の形態におけるものと同じで良い。
【００３２】
表示制御部１２０は、撮像部２００から取得した撮像画像について照度を測定する。また、表示制御部１２０は、専用の照度計を用いて照度を測定し、測定された照度を取得するものであっても良い。また、表示制御部１２０は、取得または測定した照度が撮影に適切な照度であるかどうかを判定する。また、表示制御部１２０は、照度が撮影に適切な照度ではないと判定した場合、表示部１３０の一部を照明として点灯させる。表示制御部１２０が具備するその他の機能は、第１の実施の形態におけるものと同じである。
【００３３】
表示部１３０は、表示制御部１２０からの指示に従って情報を表示するＬＣＤ等のディスプレイである。また、表示部１３０は、撮像部２００が撮像している撮像画像を表示する。
【００３４】
以下に、本形態における表示制御方法について説明する。以下の表示制御方法の説明では、情報機器１００が、撮像者がシャッターを押下して、そのときに表示されている撮像画像を取り込む（保存する）処理まで説明する。
【００３５】
図５は、図４に示した形態における表示制御方法の一例を説明するためのフローチャートである。
【００３６】
まず、撮像部２００が起動して撮像を開始すると、撮像部２００が撮像している撮像画像を検知部１１０および表示制御部１２０が取得する（ステップＳ１１）。その後、一般的な撮像画像のプレビュー表示のように、表示制御部１２０が取得した撮像画像をプレビュー画面として表示部１３０に表示させる（ステップＳ１２）。
【００３７】
また、撮像部２００が照度を測定し、測定された照度を表示制御部１２０が取得する（ステップＳ１３）。または、表示制御部１２０が、撮像部２００から取得した撮像画像について照度を測定する。また、専用の照度計を用いて照度を測定し、測定された照度を表示制御部１２０が取得するものであっても良い。すると、表示制御部１２０は、取得または測定した照度が撮影に適切な照度であるかどうかを判定する（ステップＳ１４）。この判定方法は、例えば、表示制御部１２０が、照度とあらかじめ設定されている閾値とを比較し、照度が閾値を超えている場合、当該照度が撮影に適切な照度であると判定するものであっても良い。
【００３８】
表示制御部１２０が、照度が撮影に適切な照度ではないと判定した場合、表示制御部１２０は、表示部１３０の一部を照明として点灯させる（ステップＳ１５）。これは、検知部１１０が撮像画像から被写体を検知するために行われるものである。また、このとき照明として点灯する表示部１３０の一部は、表示部１３０上の任意の部分であり、当該部分から検知部１１０が被写体を検知するための明るさを確保するための光量の光を照射する。このステップＳ１５の処理は、表示部１３０がプレビュー画面を表示後、被写体の最初の検知処理時に行われるものである。
【００３９】
すると、検知部１１０は、撮像画像から被写体の検知を行う（ステップＳ１６）。検知部１１０が被写体の検知をすることができた場合、表示制御部１２０は、検知部１１０が検知した被写体に基づいた領域を被写体領域に設定する。この被写体領域は、第１の実施の形態におけるものと同じで良い。また、表示制御部１２０は、表示部１３０の表示領域のうち、被写体領域以外の表示領域の全部または一部を、被写体に光を照射するための照明領域に設定する（ステップＳ１７）。
【００４０】
続いて、表示制御部１２０は、照明領域の光源の明るさ（輝度）や色温度を、撮像部２００から取得している撮像画像のうちの、検知部１１０が検知した被写体に最適な値に設定する（ステップＳ１８）。具体的には、表示制御部１２０は、撮像部２００から取得した撮像画像から得られる被写体の照度や色温度情報に基づいて、照明領域の光源の明るさ（輝度）や色温度を被写体に最適な値に設定する。この設定値は、第１の実施の形態におけるものと同じで良い。なお、色温度の設定には、専用の色温度センサを用いても良い。
【００４１】
続いて、表示制御部１２０は、設定した被写体領域、照明領域および照明領域の光源に基づいて、表示部１３０に表示させる画面を生成して表示部１３０に表示させる（ステップＳ１９）。具体的には、表示制御部１２０は、プレビュー画面で表示されている撮像画像のうち被写体領域に含まれるものをそのまま被写体領域内に表示させ、照明領域には、プレビュー画面で表示されている撮像画像のうち照明領域に含まれるものを表示させるのではなく、設定された（変化させた）光源の光を点灯させる。このとき、表示部１３０が表示する画面は、図３に示すような画面である。
【００４２】
その後、撮像者がシャッターボタンを押下したかどうかを情報機器１００（例えば、表示制御部１２０）が判定する（ステップＳ２０）。このシャッターボタンは、シャッターボタンとしてあらかじめ設定されているものであり、情報機器１００に物理的に設けられているキーボタンであっても良いし、表示部１３０に表示されているソフトウェアキーであっても良い。
【００４３】
撮像者がシャッターボタンを押下する操作を情報機器１００が受け付けた場合、情報機器１００は、そのとき取得している撮像画像を保存する（ステップＳ２１）。また、情報機器１００が撮像画像を保存すると、表示制御部１２０は表示部１３０の表示をプレビュー画面へ戻す。なお、シャッターボタンの押下時に表示部１３０が表示している画面は、被写体領域と照明領域とが存在し、照明領域からは設定された光が照射された状態になっているが、実際に保存される画像は、カメラ画角内の被写体、つまり、そのときに表示制御部１２０が撮像部２００から取得している撮像画像である。
【００４４】
一方、ステップＳ１４にて、表示制御部１２０が、照度が撮影に適切な照度であると判定した場合は、情報機器１００は、ステップＳ１５〜Ｓ１９の処理は行わず、ステップＳ２０の処理を行う。
【００４５】
また、ステップＳ１６にて、検知部１１０が被写体の検知をすることができなかった場合は、表示制御部１２０は、あらかじめ設定された固定領域を照明領域に設定し（ステップＳ２２）、情報機器１００は、適正露光を用いて、ステップＳ１９の処理を行う。
【００４６】
なお、被写体の照度や色温度に基づいて表示制御部１２０が照明領域の輝度や色温度を変化させる（設定する）タイミングは、表示制御部１２０が被写体の照度や色温度を測定した毎に行うものであっても良いし、表示制御部１２０が測定した被写体の照度や色温度の変化量があらかじめ設定されている閾値を超えた場合に行うものであっても良い。
【００４７】
このように、表示制御部１２０が、表示部１３０の一部を照明として点灯させることで、第１の実施の形態における効果と同じ効果に加えて、検知部１１０が撮像画像から被写体を検知し易くすることができる。
（第３の実施の形態）
また、撮像部が情報機器に内蔵されているものであっても良い。
【００４８】
図６は、本発明の情報機器の第３の実施の形態を示す図である。
【００４９】
本形態における情報機器１０１には図６に示すように、図４に示した情報機器１００が具備する検知部１１０と、表示制御部１２０と、表示部１３０とに加えて、撮像部１４０が設けられている。つまり、図４に示した形態において、情報機器１００の外部に設けられていた撮像部２００が、情報機器１０１の内部に設けられている。なお、図６には、情報機器１０１に設けられた構成要素のうち、本実施の形態に関わる主要な構成要素の一例を示す。
【００５０】
撮像部１４０は、図４に示した撮像部２００の機能と同じ機能を具備している。
【００５１】
検知部１１０は、撮像部１４０が撮像している撮像画像を撮像部１４０から取得し、取得した撮像画像から被写体を検知する。この被写体の検知の方法は、第１の実施の形態におけるものと同じで良い。
【００５２】
表示制御部１２０は、撮像部１４０が撮像している撮像画像を撮像部１４０から取得し、取得した撮像画像を表示部１３０に表示させる。表示制御部１２０が具備するその他の機能は、第２の実施の形態におけるものと同じである。
【００５３】
表示部１３０は、表示制御部１２０からの指示に従って情報を表示するＬＣＤ等のディスプレイである。また、表示部１３０は、撮像部１４０が撮像している撮像画像を表示する。
【００５４】
以下に、本形態における表示制御方法について説明する。以下の表示制御方法の説明では、第２の実施の形態における処理の説明と同様に、情報機器１０１が、撮像者がシャッターを押下して、そのときに表示されている撮像画像を取り込む（保存する）処理まで説明する。
【００５５】
図７は、図６に示した情報機器１０１における表示制御方法の一例を説明するためのフローチャートである。
【００５６】
まず、撮像者が情報機器１０１を操作することで撮像部１４０が起動すると（ステップＳ３１）、表示制御部１２０が、撮像部１４０が撮像している撮像画像をプレビュー画面として表示部１３０に表示させる（ステップＳ３２）。
【００５７】
また、撮像部１４０が照度を測定し、測定された照度を表示制御部１２０が取得する（ステップＳ３３）。または、表示制御部１２０が、撮像部１４０から取得した撮像画像について照度を測定する。また、専用の照度計を用いて照度を測定し、測定された照度を表示制御部１２０が取得するものであっても良い。すると、表示制御部１２０は、取得または測定した照度が撮影に適切な照度であるかどうかを判定する（ステップＳ３４）。この判定方法は、第２の実施の形態におけるものと同じで良い。
【００５８】
表示制御部１２０が、照度が撮影に適切な照度ではないと判定した場合、表示制御部１２０は、表示部１３０の一部を照明として点灯させる（ステップＳ３５）。これは、検知部１１０が撮像画像から被写体を検知するために行われるものである。また、このとき照明として点灯する表示部１３０の一部は、表示部１３０上の任意の部分であり、当該部分から検知部１１０が被写体を検知するための明るさを確保するための光量の光を照射する。このステップＳ３５の処理は、表示部１３０がプレビュー画面を表示後、被写体の最初の検知処理時に行われるものである。
【００５９】
すると、検知部１１０は、撮像画像から被写体の検知を行う（ステップＳ３６）。検知部１１０が被写体の検知をすることができた場合、表示制御部１２０は、検知部１１０が検知した被写体に基づいた領域を被写体領域に設定する。この被写体領域は、第１の実施の形態におけるものと同じで良い。また、表示制御部１２０は、表示部１３０の表示領域のうち、被写体領域以外の表示領域の全部または一部を、被写体に光を照射するための照明領域に設定する（ステップＳ３７）。
【００６０】
続いて、表示制御部１２０は、照明領域の光源の明るさ（輝度）や色温度を、撮像部１４０から取得している撮像画像のうちの、検知部１１０が検知した被写体に最適な値に設定する（ステップＳ３８）。具体的には、表示制御部１２０は、撮像部１４０から取得した撮像画像から得られる被写体の照度や色温度情報に基づいて、照明領域の光源の明るさ（輝度）や色温度を被写体に最適な値に設定する。この設定値は、第１の実施の形態におけるものと同じで良い。なお、色温度の設定には、専用の色温度センサを用いても良い。
【００６１】
続いて、表示制御部１２０は、設定した被写体領域、照明領域および照明領域の光源に基づいて、表示部１３０に表示させる画面を生成して表示部１３０に表示させる（ステップＳ３９）。具体的には、表示制御部１２０は、プレビュー画面で表示されている撮像画像のうち被写体領域に含まれるものをそのまま被写体領域内に表示させ、照明領域には、プレビュー画面で表示されている撮像画像のうち照明領域に含まれるものを表示させるのではなく、設定された（変化させた）光源の光を点灯させる。
【００６２】
図８は、ステップＳ３９の処理が行われた際に表示部１３０が表示する画面の一例を示す図である。
【００６３】
図８に示すように、表示部１３０には、被写体領域１７０内に被写体１６０が表示され、また、図８中、斜線で示した照明領域１８０から光が照射される。また、図８に示すように、表示部１３０は、撮像者自身に照明領域１８０から照射された光を当てるため、照明領域１８０が被写体である撮像者自身を照らす方向を向いている。
【００６４】
図９は、ステップＳ３９の処理が行われた際に表示部１３０が表示する画面の他の例を示す図である。
【００６５】
図９に示すように、表示部１３０には、被写体領域１７０内に被写体１６０が表示され、また、図９中、斜線で示した照明領域１８１から光が照射される。このように、図８に示した例とは異なり、表示制御部１２０は、表示部１３０の表示領域のうち、被写体領域１７０以外のすべての領域を照明領域１８１とはせず、表示部１３０の枠の内側の所定の幅の領域を除いて照明領域１８１を設定するものであっても良い。これにより、撮像者がカメラ画角を認識し易くすることができる。
【００６６】
その後、撮像者がシャッターボタンを押下したかどうかを情報機器１０１（例えば、表示制御部１２０）が判定する（ステップＳ４０）。このシャッターボタンは、第２の実施の形態におけるものと同じで良い。
【００６７】
撮像者がシャッターボタンを押下する操作を情報機器１０１が受け付けた場合、情報機器１０１は、そのとき取得している撮像画像を保存する（ステップＳ４１）。また、情報機器１０１が撮像画像を保存すると、表示制御部１２０は表示部１３０の表示をプレビュー画面へ戻す。なお、シャッターボタンの押下時に表示部１３０が表示している画面は、被写体領域と照明領域とが存在し、照明領域からは設定された光が照射された状態になっているが、実際に保存される画像は、カメラ画角内の被写体、つまり、そのときに表示制御部１２０が撮像部１４０から取得している撮像画像である。
【００６８】
一方、ステップＳ３４にて、表示制御部１２０が、照度が撮影に適切な照度であると判定した場合は、情報機器１０１は、ステップＳ３５〜Ｓ３９の処理は行わず、ステップＳ３０の処理を行う。
【００６９】
また、ステップＳ３６にて、検知部１１０が被写体の検知をすることができなかった場合は、表示制御部１２０は、あらかじめ設定された固定領域を照明領域に設定し（ステップＳ４２）、情報機器１０１は、適正露光を用いて、ステップＳ３９の処理を行う。
【００７０】
なお、被写体の照度や色温度に基づいて表示制御部１２０が照明領域の輝度や色温度を変化させる（設定する）タイミングは、表示制御部１２０が被写体の照度や色温度を測定した毎に行うものであっても良いし、表示制御部１２０が測定した被写体の照度や色温度の変化量があらかじめ設定されている閾値を超えた場合に行うものであっても良い。
【００７１】
このように、カメラ等の撮像部１４０を内蔵した情報機器１０１においても、第２の実施の形態における効果と同じ効果を奏することができる。
（その他の実施の形態）
以下に、その他の実施の形態として、表示部が複数の表示領域に分割されている場合の形態について、２つの例を挙げて説明する。なお、以下に説明する情報機器の内部構成については、図６に示したものと同じである。
【００７２】
図１０は、２つの表示領域に分割された表示部が搭載されている情報機器に照明領域が設定されたときの外観の一例を示す図である。
【００７３】
図１０に示すように、情報機器１０２が２つの筐体１５０−１，１５０−２から構成され、表示部１３１が２つの表示領域に分割されており、それぞれの表示領域がそれぞれ筐体１５０−１，１５０−２に搭載されている。この情報機器１０２において、筐体１５０−１に搭載された表示領域に、撮像部１４０が撮像している撮像画像が表示されている場合、表示制御部１２０は、筐体１５０−１に搭載された表示領域を被写体領域１７１に設定し、筐体１５０−２に搭載された表示領域を照明領域１８２に設定する。なお、筐体１５０−１と筐体１５０−２とがヒンジ等で接続され、情報機器１０２が折り畳み可能な構造を持つものである場合、折り畳みの角度（筐体１５０−１と筐体１５０−２との角度）によっては、照明領域１８２から照射された光が被写体を照らすことができないことが考えられる。そのため、照明領域１８２から照射された光が被写体を照らすことができる角度で使用することが必要となる。
【００７４】
図１１は、３つの表示領域に分割された表示部が搭載されている情報機器に照明領域が設定されたときの外観の一例を示す図である。
【００７５】
図１１に示すように、情報機器１０３が３つの筐体１５１−１〜１５１−３から構成され、表示部１３２が３つの表示領域に分割されており、それぞれの表示領域がそれぞれ筐体１５１−１〜１５１−３に搭載されている。この情報機器１０３において、筐体１５１−２に搭載された表示領域に、撮像部１４０が撮像している撮像画像が表示されている場合、表示制御部１２０は、筐体１５１−２に搭載された表示領域を被写体領域１７２に設定し、筐体１５１−１，１５１−３に搭載された表示領域を照明領域１８３に設定する。なお、筐体１５１−１と筐体１５０−２とが、および筐体１５１−２と筐体１５１−３とがヒンジ等で接続され、情報機器１０３が折り畳み可能な構造を持つものである場合、折り畳みの角度（筐体１５１−１と筐体１５１−２との角度および筐体１５１−２と筐体１５１−３との角度）によっては、照明領域１８３から照射された光が被写体を照らすことができないことが考えられる。そのため、照明領域１８３から照射された光が被写体を照らすことができる角度で使用することが必要となる。
【００７６】
このように、表示部が複数の表示領域に分割されており、表示制御部１２０が、複数の表示領域のうち１つの表示領域に撮像部１４０が撮像している撮像画像を表示させている場合、それ以外の表示領域を照明領域に設定することで、安価に暗所での自分撮り撮像画像を得ることができる。また、被写体の検知を行い、被写体に応じた被写体領域以外の表示領域を照明領域として使用することで、プレビュー動作時に被写体を確認することができる。また、撮像画像を表示していない表示領域を照明領域として使用するため、表示領域を有効に利用することができる。さらに、被写体を検知した結果に基づいて、照明を被写体に適した設定にすることで、被写体に最適な撮像画像を得ることができる。
【００７７】
なお、情報機器１００〜１０３は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機、デジタルカメラ等の電子機器である。
【００７８】
また、情報機器１００〜１０３それぞれに設けられた各構成要素が行う処理は、目的に応じてそれぞれ作製された論理回路で行うようにしても良い。また、処理内容を手順として記述したコンピュータプログラム（以下、プログラムと称する）を情報機器１００〜１０３それぞれにて読取可能な記録媒体に記録し、この記録媒体に記録されたプログラムを情報機器１００〜１０３それぞれに読み込ませ、実行するものであっても良い。情報機器１００〜１０３それぞれにて読取可能な記録媒体とは、フロッピー（登録商標）ディスク、光磁気ディスク、ＤＶＤ、ＣＤなどの移設可能な記録媒体の他、情報機器１００〜１０３それぞれに内蔵されたＲＯＭ、ＲＡＭ等のメモリやＨＤＤ等を指す。この記録媒体に記録されたプログラムは、情報機器１００〜１０３それぞれに設けられたＣＰＵ（不図示）にて読み込まれ、ＣＰＵの制御によって、前述したものと同様の処理が行われる。ここで、ＣＰＵは、プログラムが記録された記録媒体から読み込まれたプログラムを実行するコンピュータとして動作するものである。
【００７９】
上記の実施の形態の一部または全部は、以下の付記のようにも記載され得るが、以下には限られない。
（付記１）撮像部が撮像している撮像画像を表示する表示部と、
前記撮像画像から被写体を検知する検知部と、
前記検知部における検知の結果に基づいて、前記表示部の表示領域のうち、前記被写体を表示している第１の表示領域と、前記表示部の表示領域のうち、該第１の表示領域以外の表示領域の少なくとも一部である第２の表示領域とを設定し、該第２の表示領域の表示の輝度と色温度との少なくとも一方を変化させる表示制御部とを有し、
前記表示部の前記第２の表示領域が前記被写体を照らす方向を向いている情報機器。
（付記２）前記表示制御部は、前記被写体の照度および色温度に基づいて、前記第２の表示領域の表示の輝度と色温度との少なくとも一方を変化させる、付記１に記載の情報機器。
（付記３）前記表示制御部は、前記第１の表示領域を、前記検知部が検知した被写体が含まれる所定の大きさであり、所定の形状である領域とする、付記１または付記２に記載の情報機器。
（付記４）前記表示制御部は、前記表示部が複数の表示領域に分割され、該複数の表示領域のうち１つの表示領域に前記撮像部が撮像している撮像画像を表示させている場合、それ以外の表示領域を前記第２の表示領域に設定する、付記１から３のいずれか１項に記載の情報機器。
（付記５）前記撮像部を具備する、付記１から４のいずれか１項に記載の情報機器。
（付記６）撮像部が撮像している撮像画像を表示する処理と、
前記撮像画像から被写体を検知する処理と、
前記検知の結果に基づいて、表示部の表示領域のうち、前記被写体を表示している第１の表示領域を設定する処理と、
前記表示部の表示領域のうち、前記被写体を照らす方向を向いている、前記第１の表示領域以外の表示領域の少なくとも一部である第２の表示領域を設定する処理と、
前記第２の表示領域の表示の輝度と色温度との少なくとも一方を変化させる処理とを行う表示制御方法。
（付記７）コンピュータに、
撮像部が撮像している撮像画像を表示する手順と、
前記撮像画像から被写体を検知する手順と、
前記検知の結果に基づいて、表示部の表示領域のうち、前記被写体を表示している第１の表示領域を設定する手順と、
前記表示部の表示領域のうち、前記被写体を照らす方向を向いている、前記第１の表示領域以外の表示領域の少なくとも一部である第２の表示領域を設定する手順と、
前記第２の表示領域の表示の輝度と色温度との少なくとも一方を変化させる手順とを実行させるためのプログラム。
【符号の説明】
【００８０】
１００〜１０３    情報機器
１１０    検知部
１２０    表示制御部
１３０〜１３２    表示部
１４０，２００    撮像部
１５０−１，１５０−２，１５１−１〜１５１−３    筐体
１６０    被写体
１７０〜１７２    被写体領域
１８０〜１８３    照明領域
【図１】
2014229978.tif 000003
【図２】
2014229978.tif 000004
【図３】
2014229978.tif 000005
【図４】
2014229978.tif 000006
【図５】
2014229978.tif 000007
【図６】
2014229978.tif 000008
【図７】
2014229978.tif 000009
【図８】
2014229978.tif 000010
【図９】
2014229978.tif 000011
【図１０】
2014229978.tif 000012
【図１１】
2014229978.tif 000013